(57)【要約】【課題】患者が入院することなしにホテルに滞在しながらも、入院している場合と同等の食事や、ケア、検査を受けることを可能なホスピタルインシステムを提供する。【解決手段】患者の宿泊が可能な患者用客室を有したホテル３のホテルサーバ３１と、患者の診療に係わる医療機関２の看護センタサーバ２１とが通信可能に接続される。ホテルサーバ３１が患者を識別する患者ＩＤをキーとして患者の身体状態を看護センタサーバ２１に送信し、看護センタサーバ２１が患者ＩＤをキーとして患者に関する指示をホテルサーバ３１に送信する。【選択図】図２
2014225141.tif 000002
【特許請求の範囲】
【請求項１】
患者の宿泊が可能な患者用客室を有したホテルのホテルサーバと、前記患者の診療に係わる医療機関の看護センタサーバとが通信可能に接続されており、
前記ホテルサーバは前記患者を識別する患者ＩＤをキーとして患者の身体状態を前記看護センタサーバに送信し、前記看護センタサーバは前記患者ＩＤをキーとして患者に関する指示を前記ホテルサーバに送信することを特徴とするホスピタルインシステム。
【請求項２】
請求項１記載のホスピタルインシステムであって、
前記医療機関は前記患者のカルテを前記患者ＩＤと関連付けて格納した患者データベースを備え、前記患者用客室は前記ホテルサーバと通信可能に接続されたルーム端末及びこのルーム端末または前記ホテルサーバと通信可能に接続され宿泊中の前記患者の身体状態を検知する検知端末を備えていることを特徴とするホスピタルインシステム。
【請求項３】
請求項１または２記載のホスピタルインシステムであって、
前記ホテルサーバは患者の食事を調理する厨房端末と接続され、前記医療機関は前記患者の食事メニューを前記ホテルサーバに送信することを特徴とするホスピタルインシステム。
【請求項４】
請求項１乃至３のいずれか１項記載のホスピタルインシステムであって、
前記ホテルは前記患者を搬送する緊急搬送手段を備えており、前記ホテルと前記医療機関との間には前記患者を移送するための専用移動経路が設けられていることを特徴とするホスピタルインシステム。
【請求項５】
請求項１乃至４のいずれか１項記載のホスピタルインシステムであって、
前記検知端末が宿泊中の患者の体調悪化を検知したとき、前記ホテルサーバは体調悪化の緊急信号を前記看護センタサーバに送信し、前記看護センタサーバは前記緊急搬送手段による患者の搬送の指示を前記ホテルサーバに送信することを特徴とするホスピタルインシステム。
【発明の詳細な説明】
【技術分野】
【０００１】
本発明は、医療機関とホテルとを連携させるシステムとすることにより、医療機関に入院しているのと同等のケアをホテル宿泊中に受けることができるばかりでなく、ホテル滞在の自由な開放感を味わうことができるメンタルケアも可能なホスピタルインシステムに関する。
【背景技術】
【０００２】
特許文献１及び２には、遠隔地や在宅での医療サービスに関し、ネットワークを活用した種々の提案がなされている。しかしながら、これらの方法では、医療機関との距離が離れているため、病状の急激な悪化の場合などに迅速に対応できないことや、病状に対応した食事が得られない等入院時と同等の治療や療養体制が得られないという問題があった。また、特許文献３には、病院とは別の滞在施設に患者を滞在させるため、患者を識別して他の人よりも優先させるシステムが提案されている。しかしながら、このシステムは患者の滞在施設を選択するための手法が記載されるだけあり、滞在施設に滞在している患者をケアするものではない。
【０００３】
一般的に、退院後のリハビリや通院治療のために医療機関に近いホテルに宿泊しても、病状の急激な悪化があった場合、ホテルではその対応が難しい。このためホテルの宿泊の際には、病院に入院しているのと同等の安心感を得ることができず、心配がつきまとうものとなる。このようなことから入院している状態とほぼ同等のケアや安心感が得られるホテルの必要性が高まっている。
【先行技術文献】
【特許文献】
【０００４】
【特許文献１】特開２０００−１１６７３２号公報
【特許文献２】特開２００２−３６６６５３号公報
【特許文献３】特開２００２−７５７８号公報
【発明の概要】
【発明が解決しようとする課題】
【０００５】
本発明は上記課題を解決するためになされたものであって、疾病を煩っている患者が入院することなしにホテルに滞在しながらも、入院している場合と同等の食事や、ケア、検査を受けることを可能にして、患者が安心してホテル宿泊することができ、ホテル宿泊の開放感を満喫することを可能とするため、ホテルと医療機関とを連携させたホスピタルインシステムを提供することを目的とする。
【課題を解決するための手段】
【０００６】
本発明のホスピタルインシステムは、患者の宿泊が可能な患者用客室を有したホテルのホテルサーバと、前記患者の診療に係わる医療機関の看護センタサーバとが通信可能に接続されており、前記ホテルサーバは前記患者を識別する患者ＩＤをキーとして患者の身体状態を前記看護センタサーバに送信し、前記看護センタサーバは前記患者ＩＤをキーとして患者に関する指示を前記ホテルサーバに送信することを特徴とする。
【０００７】
この場合、前記医療機関は前記患者のカルテを前記患者ＩＤと関連付けて格納した患者データベースを備え、前記患者用客室は前記ホテルサーバと通信可能に接続されたルーム端末及びこのルーム端末または前記ホテルサーバと通信可能に接続され宿泊中の前記患者の身体状態を検知する検知端末を備えていることが好ましい。
【０００８】
また、前記ホテルサーバは患者の食事を調理する厨房端末と接続され、前記医療機関は前記患者の食事メニューを前記ホテルサーバに送信することが好ましい。
【０００９】
また、前記ホテルは前記患者を搬送する緊急搬送手段を備えており、前記ホテルと前記医療機関との間には前記患者を移送するための専用移動経路が設けられていることが好ましい。
【００１０】
また、前記検知端末が宿泊中の患者の体調悪化を検知したとき、前記ホテルサーバは体調悪化の緊急信号を前記看護センタサーバに送信し、前記看護センタサーバは前記緊急搬送手段による患者の搬送の指示を前記ホテルサーバに送信することが好ましい。
【発明の効果】
【００１１】
本発明によれば、ホテルサーバは患者を識別する患者ＩＤをキーとして患者の身体状態を看護センタサーバに送信し、看護センタサーバは患者ＩＤをキーとして患者に関する指示をホテルサーバに送信するため、ホテルと医療機関とが良好に連携され、疾病を煩っている患者が入院することなしにホテルに滞在しながらも、入院している場合と同等の食事や、ケア、検査を受けることが可能となる。
【図面の簡単な説明】
【００１２】
【図１】本発明のホスピタルインシステムの一実施形態の全体図である。
【図２】一実施形態のブロック図である。
【図３】看護センタサーバとホテルサーバとの通信の一例を示すフローチャートである。
【図４】患者の体調悪化に対する処理を示すフローチャートである。
【発明を実施するための形態】
【００１３】
本発明のホスピタルインシステムは、患者の宿泊が可能な患者用客室３２を有したホテル３のホテルサーバ３１と、患者の診療に係わる医療機関２の看護センタサーバ２１とが通信可能に接続され、ホテルサーバ３１は患者を識別する患者ＩＤをキーとして患者の身体状態を看護センタサーバ２１に送信し、看護センタサーバ２１は患者ＩＤをキーとして患者に関する指示をホテルサーバ３１に送信するものである。
【００１４】
図１は本発明のホスピタルインシステムの一実施形態を示す全体図、図２はブロック図を示す。
【００１５】
この実施形態のホスピタルインシステムは、図１に示すように、病院、医院等の医療機関２と、ホスピタルインとしてのホテル３とを有している。医療機関２としては患者の入院施設を備えた病院、医院等が好ましい。ホテル３は医療機関２と一体または近接して設けられる。このため、ホテル３としては医療機関２の敷地内に医療機関２の病棟と隣接して設けられるか、医療機関２の病棟の階上に設けられることが好ましい。
【００１６】
医療機関２とホテル３とは患者を移送するための専用移動経路５によって連結されることが好ましい。専用移動経路５は一般道路等の公共通路を介さずに往来できる地上道路や地下通路、空中通路が良好であり、渡り廊下であっても良い。専用移動経路５によって医療機関２とホテル３とが連結されることにより患者の搬送を迅速に行うことが可能となる。なお、医療機関２とホテル３とが専用移動経路５を介することなく一般道路によって連結しても良い。これに加えてホテル３は患者を緊急搬送する緊急搬送手段（図示省略）を備えることが好ましい。緊急搬送手段としては、可動式客室ベッドを搬送するエレベータ設備、患者を緊急搬送する救急車、空中を往来する緊急ヘリコプター、その他の手段を用いることができる。
【００１７】
ホスピタルインとしてのホテル３は、医療機関２の入院設備の合理的な活用を推進するための代替宿泊施設としての役目を有し、患者は医療機関２の入院時と略同等の治療を医療機関２から受けることができる。一方、患者は医療機関２の入院時と異なり、医療機関２に診察等を受けている時間を除けば時間を自由に使うことができるため、開放感を味わうことができる。ホスピタルインとしてのホテル３は対応する医療機関２に入院する患者の家族や見舞客に対応する宿泊施設としても機能する一方、医療機関２の関係者の宿泊施設としても機能する。また、メディカルツーリズムに対応した宿泊施設としても機能する。
【００１８】
図２は本実施形態のホスピタルインシステムのブロック図である。
【００１９】
医療機関２は医師、看護師等の医療従事者が常駐する看護センタを有し、この看護センタには看護センタサーバ２１が設けられている。看護センタサーバ２１は医療機関２の患者データベース２２と接続されている。看護データベース２２は患者を識別する患者ＩＤと、その患者のカルテとが関連付けて格納されている。看護センタサーバ２１は患者ＩＤをキーとしてホテル３のホテルサーバ３１に対し、患者に関する指示を送信する。患者に関する指示は患者データベース２２に格納されているカルテに基づいて作成されるものであり、治療薬の服用量、服用回数や時間、患者の体調管理のための指導事項、その他の内容である。また患者の食事メニューも患者に関する指示として看護データベース２２からホテルサーバ３１に送信される。また、看護センタサーバ２１はホテルサーバ３１から患者の身体状態が送信されたとき、これを受信する。
【００２０】
ホテル３はホテルサーバ３１を有し、このホテルサーバ３１によってホテル全体の管理が行われる。ホテルサーバ３１は専用回線、公衆回線等の通信回線を介して医療機関２の看護センタサーバ２１と接続されており、看護センタサーバ２１と相互の通信が可能となっている。
【００２１】
ホテル３は患者が宿泊するための患者用客室３２を複数有すると共に、一般の宿泊客が宿泊するための一般客室３３を複数有している。さらに、ホテル３は患者及び一般の宿泊客に食事を用意する厨房３４を有している。
【００２２】
患者用客室３２には、ホテルサーバ３１を通信可能に接続されたルーム端末３５及び宿泊している患者の身体状態を検知する検知端末３２、３６が備えられている。ルーム端末３５としては、デスクトップ型やノート型等の一般のパーソナルコンピュータ（ＰＣ）を用いることができる。各患者用客室３２のルーム端末３５はホテル内回線を介してホテルサーバ３１と接続されることにより、患者がホテルサーバ３１に信号を送ることができ、ホテルサーバ３１は送信された信号を看護センタサーバ２１に送信する。従って、ホテル３に宿泊する際の患者の要求、例えば食事メニューや身体調整の仕方等を看護センタサーバ２１が把握することができる。なお、一般客室３３のルーム端末３７としては患者用客室３２のルーム端末３５と同様にパーソナルコンピュータを用いることができる。
【００２３】
患者用客室３２に配置された検知端末３６は血圧計、体温計、心電計（ＥＣＧ）、聴診計、ピークフロメータ、血糖計、尿糖センサその他の計測端末が用いられる。これらの検知端末３６は宿泊する患者の症状に対応して適宜選定される。検知端末３６としては、患者用客室３２の患者を監視する監視カメラを用いることが良好である。検知端末３６が検知した患者の身体状態は、ホテルサーバ３１を介してリアルタイムで看護センタサーバ２１に送信される。
【００２４】
厨房３４には、厨房端末３８が配置されている。厨房端末３８はホテルサーバ３１に接続されており、ホテルサーバ３１から食事メニューが送信され、送信された食事メニューに基づいて食事が用意される。従って、宿泊している患者の疾病や身体状態に応じた食事メニューを用意することができる。
【００２５】
次に、本実施形態における看護センタサーバ２１とホテルサーバ３１との間における通信の流れの一例を図３により説明する。
【００２６】
ホテル３に患者が宿泊する際、患者は患者ＩＤを提示し、ホテル３はこの患者ＩＤを読み取り、ホテルサーバ３１に入力する（ステップＳ１１）。ホテルサーバ３１は患者ＩＤを通信回線によって看護センタサーバ２１に送信し、看護センタサーバ２１が患者ＩＤを受信する（ステップＳ１２）。看護センタサーバ２１は受信した患者ＩＤをキーとして患者データベース２２から患者のカルテをピックアップする（ステップＳ１４）。
【００２７】
医療機関２の関係者は、ピックアップしたカルテ及び医療知識に基づいて、患者の食事メニューを作成する（ステップＳ１４）。食事メニューの作成はこれに限らず、メニュー一覧を看護センタサーバ２１に格納しておき、カルテに対応した食事メニューを自動的に選択するようにしても良い。この食事メニューは看護センタサーバ２１からホテルサーバ３１に送信されて受信される（ステップＳ１５）。そしてホテルサーバ３１から厨房端末３８に送信される（ステップＳ１６）。これにより患者の疾病や身体状態に応じた食事を用意することができる。
【００２８】
図４はホテルに宿泊している患者が体調悪化した場合の処理の流れの一例を示す。
【００２９】
患者が体調悪化した場合、患者用客室３２に設置した検知端末３６が体調悪化を検知する（ステップＳ２１）。検知端末３６はルーム端末３５を介してあるいは直接にホテルサーバ３１に体調悪化の状態をリアルタイムで送信する。これによりホテルサーバ３１は患者ＩＤをキーとして救急信号を送信し（ステップＳ２２）、医療機関の看護センタサーバ２１が救急信号を受信する（ステップＳ２３）。
【００３０】
緊急信号の受信により医療機関の関係者は、患者ＩＤをキーとして患者データベース２２から患者に関する情報をピックアップして患者を搬送するか否かを選択する。患者の搬送を選択した場合、搬送指示信号をホテルサーバ３１に送信する（ステップＳ２４）。ホテルサーバ３１はこの搬送指示を受信したとき（ステップＳ２５）、患者ＩＤの患者用客室３２を割り出し、同室３２の患者を緊急搬送手段により医療機関２へ搬送する（ステップＳ２６）。
【００３１】
以上の本実施形態によれば、患者を識別する患者ＩＤをキーとして患者の身体状態をホテルサーバ３１が看護センタサーバ２１に送信し、看護センタサーバ２１は患者ＩＤをキーとして患者に関する指示をホテルサーバ３１に送信することから、ホテル３と医療機関２とが良好に連携される。このため、疾病を煩っている患者が入院することなしにホテル３に滞在しながらも、入院している場合と同等の食事や、ケア、検査を受けることが可能となる。また、医療機関２としては、ホテル３との綿密な連絡が可能なため、患者への指示を的確に行うことができる。さらにホテル３は医療機関２との連絡が可能なため、安心して患者を宿泊させることができ、通常の宿泊客に加えた宿泊ニーズの増大が可能となる。
【符号の説明】
【００３２】
２  医療機関
３  ホテル
２１  看護センタサーバ
２２  患者データベース
３１  ホテルサーバ
３２  患者用客室
３５  ルーム端末
３６  検知端末
３８  厨房端末
【図１】
2014225141.tif 000003
【図２】
2014225141.tif 000004
【図３】
2014225141.tif 000005
【図４】
2014225141.tif 000006